(57)【要約】【課題】連続紙をスリッタでスリットしたときの該連続紙の左右両端の少なくとも一方に発生する耳屑を確実に吸引できる装置を提供する。【解決手段】この装置は、例えば連続紙の一例である分包紙の原反１３をスリッタ１１で多条にスリットするときに、原反１３の左右両端のうちの少なくとも一方に発生する耳屑１３ｘ，１３ｙを周囲の空気とともに吸引する吸引口１５ｘ，１３ｙを備えるとともに、耳屑１３ｘ，１３ｙの発生状態に応じて吸引口１５ｘ，１５ｙの位置姿勢を調整可能な調整機構１６を備えている。【選択図】図２
2010115754.tif 000002
【特許請求の範囲】
【請求項１】
連続紙をスリッタで多条にスリットするときに、該連続紙の左右両端の少なくとも一方に発生する耳屑を吸引する吸引口を備えた連続紙のスリット耳屑吸引装置であって、
前記耳屑の発生状態に応じて、前記吸引口の位置又は姿勢を調整可能な調整機構を備えたことを特徴とする連続紙のスリット耳屑吸引装置。
【請求項２】
前記調整機構は、前記吸引口を左右方向に移動させるものであることを特徴とする請求項１記載の連続紙のスリット耳屑吸引装置。
【請求項３】
前記調整機構は、前記吸引口を傾斜させるものであることを特徴とする請求項１又は２記載の連続紙のスリット耳屑吸引装置。
【請求項４】
前記調整機構は、前記吸引口を上下方向に移動させるものであることを特徴とする請求項１〜３のいずれか１項に記載の連続紙のスリット耳屑吸引装置。
【請求項５】
前記吸引口は、漸次に拡径する周壁を備えるとともに、該周壁の開口端をドーナツ状に膨らませたカールファンネル形状としたことを特徴する請求項１〜４のいずれか１項に記載の連続紙のスリット耳屑吸引装置。
【請求項６】
前記周壁を、ポリッシュ加工したことを特徴とする請求項５記載の連続紙のスリット耳屑吸引装置。
【発明の詳細な説明】
【技術分野】
【０００１】
本発明は、連続紙のスリット耳屑吸引装置に関し、例えば連続紙をスリッタで多条にスリットするときに、該連続紙の左右両端の少なくとも一方に発生する耳屑を回収するスリット耳屑回収設備に用いるものである。
【背景技術】
【０００２】
図５は従来の一例における耳屑風送装置の構成図である。
【０００３】
従来、作業室内に配置されたスリッタで連続紙を多条にスリットするときに、該連続紙の左右両端に発生する耳屑を空気で搬送して、前記作業室外に配置された回収室に回収する設備が知られている。そして、これに類似する設備として、例えば特許文献１に記載の耳屑風送装置などに関する技術が開示されている。
【０００４】
この特許文献１では、図５に示すように、製膜ライン５１１から送り出されるセルローストリアセテートフィルムのウエブ５１３ａの耳屑５１３ｘを耳切り装置５１４で切断する一方、この耳屑５１３ｘを切り取ったウエブ５１３ａはウエブ巻取り装置５２０にて巻き取る。
【０００５】
耳切り装置５１４で切断された耳屑５１３ｘが、ローラ対とガイド板とからなるガイド部５１６で案内されて、ガイド部５１６に対向配置された吸引口５１７から吸引され、フィードローラ５１８により送り出される。吸引口５１７の下方には、ロータリカッタ５１９が設けられており、このロータリカッタ５１９で耳屑５１３ｘが送り方向で切り離され、短冊状の耳屑５１３ｘにされる。
【０００６】
短冊状の耳屑５１３ｘは、吸引ダクト５３１で吸引されて、カットブロア５１５に送られる。このカットブロア５１５では、耳屑５１３ｘをさらに小さく切断して耳屑片となし、これを図示しないサイクロンに風送する。ここで、耳屑片と空気とが分離され、耳屑片は粉砕された上で図示しないサイロに蓄積されるが、分離された空気は、吸引ダクト５３１内の風速に応じて、そのまま外部に放出されるか、或いは吸引ダクト５３１に戻されて、耳屑５１３ｘの風送に再利用されるようになっている。
【特許文献１】特開２００３−２９１０９１号公報
【発明の開示】
【発明が解決しようとする課題】
【０００７】
ところで、上記特許文献１では、耳切り装置５１４で切断された耳屑５１３ｘは、ローラ対とガイド板とからなるガイド部５１６で案内されて、ガイド部５１６に対向配置された吸引口５１７から吸引されるようになっている。
【０００８】
しかし、上記特許文献１の場合とは異なり、連続紙には種々の材料や寸法のものが使用されるので、次のような不具合がある。
【０００９】
例えば連続紙が比較的硬いものであるときには、耳屑５１３ｘは、ガイド部５１６出口から略前方に向かうため、ガイド部５１６に対向配置された吸引口５１７にうまく入ることとなるが、生産性の向上を図って、連続紙から耳屑を切り取った紙片（ウエブ）５１３ａが高速で巻き取り装置５２０に送られるようにすると、これにつれて耳屑５１３ｘが上向きに浮き上がってしまい、吸引口５１７から外れてしまうおそれがあった。
【００１０】
一方、連続紙が比較的柔らかいものであるときには、耳屑５１３ｘがガイド部５１６を通過する間に、その耳屑５１３ｘが静電気を帯びて、ガイド部５１６出口から真下に向かうようになるため、この場合も、耳屑５１３ｘが吸引口５１７から外れてしまうおそれがあった。
【００１１】
また、連続紙は、その幅寸法が異なるものに取り替えることもあり、その場合に、吸引口５１７の位置が固定されていたのでは、その吸引口５１７から耳屑５１３ｘを吸引できなくなるおそれがあった。
【００１２】
さらに、連続紙から耳屑５１３ｘを切り取った紙片５１３ａを所定間隔でカットして紙管に巻きつけるとともに、耳屑５１３ｘを吸引口５１７で吸引する場合には、その間隔に応じてサイクルの発停を繰り返すが、このことによる不具合もある。
【００１３】
すなわち、サイクル停止時には、吸引口５１７の負圧がなくなるので、耳屑５１３ｘの先端が浮き上がってしまい、吸引口５１７から外れてしまうおそれがあった。そして、サイクルが再び始まると、吸引口５１７に再び負圧が生じるので、一旦浮き上がった耳屑５１３ｘが再び吸引口５１７に吸引されるようになるものの、このとき耳屑５１３ｘがねじれて吸引口５１７に巻き付き、或いは吸引口５１７を閉塞してしまうおそれがあった。
【００１４】
このため、オペレータが、サイクル停止の都度、吸引口５１７に耳屑５１３ｘが巻き付き、或いは吸引口５１７を閉塞してしまっていないかを確認する必要があり、その手間が大変であった。
【００１５】
本発明は、このような事情に鑑みてなされたもので、連続紙をスリッタでスリットしたときの該連続紙の左右両端の少なくとも一方に発生する耳屑を確実に吸引することのできる連続紙のスリット耳屑吸引装置を提供することを目的とする。
【課題を解決するための手段】
【００１６】
本発明は、連続紙をスリッタで多条にスリットするときに、該連続紙の左右両端の少なくとも一方に発生する耳屑を吸引する吸引口を備えた連続紙のスリット耳屑吸引装置であって、前記耳屑の発生状態に応じて前記吸引口の位置姿勢を調整可能な調整機構を備えたことを特徴とするものである。
【００１７】
本発明によれば、前記耳屑の発生状態に応じて前記吸引口の位置姿勢を調整可能な調整機構を備えたので、例えば特許文献１において、種々の材料や寸法の連続紙を使用した場合の不具合を解消することができる。
【００１８】
例えば、連続紙が比較的硬いものであるときには、耳屑は、ガイド部出口から略前方に向かうため、ガイド部に対向配置された吸引口にうまく入ることとなる。しかし、生産性の向上を図って、連続紙から耳屑を切り取った紙片が高速で巻き取り装置に送られるようにすると、これにつれて耳屑が上向きに浮き上がってしまい、吸引口から外れてしまうおそれがあった。本発明では、この上向きに浮き上がった耳屑に対して、吸引口の姿勢を下向きに調整することで対応できる。
【００１９】
一方、連続紙が比較的柔らかいものであるときには、耳屑がガイド部を通過する間に、その耳屑が静電気を帯びて、ガイド部出口から真下に向かうようになるため、この場合も、耳屑が吸引口から外れてしまうおそれがあったが、本発明では、ガイド部出口から真下に向かう耳屑に対して、吸引口の姿勢を上向きに調整することで対応できる。
【００２０】
また、連続紙は、その幅寸法が異なるものに取り替えることもあり、その場合に、吸引口の位置が固定されていたのでは、その吸引口から耳屑を吸引できなくなるおそれがあったが、本発明では、取り替え後の連続紙の幅寸法に対応して、吸引口の位置を左右方向に調整することで対応できる。
【００２１】
さらに、連続紙から耳屑を切り取った紙片を所定間隔でカットして紙管に巻きつけるとともに、耳屑を吸引口で吸引する場合には、その間隔に応じてサイクルの発停を繰り返すが、これに対する特許文献１の不具合をも解消することができる。
【００２２】
すなわち、サイクル停止時には、吸引口の負圧がなくなるので、耳屑の先端が浮き上がってしまい、吸引口から外れてしまうおそれがあり、サイクルが再び始まると、吸引口に再び負圧が生じるので、一旦浮き上がった耳屑が再び吸引口に吸引されることにより、耳屑がねじれて吸引口に巻き付き、或いは吸引口を閉塞してしまうおそれがあったが、本発明では、そのような事態に対応した吸引口の位置又は姿勢に容易に調整することで、その調整後は吸引口の確認等の手間が省略できて便利である。
【００２３】
請求項２記載の発明のように、前記調整機構は、左右方向に前記吸引口を移動させるものであることが好ましい。
【００２４】
請求項２記載の発明によれば、前記調整機構は、左右方向に前記吸引口を移動させることにより、連続紙の左右両端の少なくとも一方に発生する耳屑の位置が左右方向に変化したとしても、その耳屑を確実に吸引することができる。
【００２５】
請求項３記載の発明のように、前記調整機構は、前記吸引口を傾斜させるものであることが好ましい。
【００２６】
請求項３記載の発明によれば、前記調整機構は、上向きに浮き上がった耳屑に対して、吸引口の姿勢を下向きに調整することで対応できるとともに、ガイド部出口から真下に向かう耳屑に対して、吸引口の姿勢を上向きに調整することで対応できる。また、連続紙の左右両端の少なくとも一方に発生する耳屑のサイクル発停に応じて吸引口の姿勢を調整することで、その吸引口から耳屑を確実に吸引することができる。
【００２７】
請求項４記載の発明のように、前記調整機構は、上下方向に前記吸引口を移動させるものであることが好ましい。
【００２８】
請求項４記載の発明によれば、前記調整機構は、連続紙の左右両端の少なくとも一方に発生する耳屑のサイクル発停に応じて吸引口の上下位置を調整することで、その吸引口から耳屑を確実に吸引することができる。
【００２９】
請求項５記載の発明のように、前記吸引口は、漸次に拡径する周壁を備えるとともに、該周壁の開口端をドーナツ状に膨らませたカールファンネル形状とすることが好ましい。
【００３０】
請求項５記載の発明によれば、前記吸引口は、漸次に拡径する周壁を備えるとともに、該周壁の開口端をドーナツ状に膨らませたカールファンネル形状とすることにより、あたかも開口端の径が広がったように作用させる、いわゆるカールファンネル効果で、空気の吸い込み量を確保して耳屑をさらに確実に吸引することができる。
【００３１】
請求項６記載の発明のように、前記周壁を、ポリッシュ加工することが好ましい。
【００３２】
請求項６記載の発明によれば、前記周壁を、ポリッシュ加工したことにより、前記カールファンネル効果をさらに発揮させて、耳屑をさらに確実に吸引することができる。
【発明の効果】
【００３３】
本発明によれば、前記耳屑の発生状態に応じて前記吸引口の位置姿勢を調整可能な調整機構を備えたので、例えば特許文献１において、種々の材料や寸法の連続紙を使用した場合の不具合を解消することができる。
【００３４】
例えば、特許文献１では、連続紙が比較的硬いものであるときには、耳屑は、ガイド部出口から略前方に向かうため、ガイド部に対向配置された吸引口にうまく入ることとなる。しかし、生産性の向上を図って、連続紙から耳屑を切り取った紙片が高速で巻き取り装置に送られるようにすると、これにつれて耳屑が上向きに浮き上がってしまい、吸引口から外れてしまうおそれがあった。本発明では、この上向きに浮き上がった耳屑に対して、吸引口の姿勢を下向きに調整することで対応できる。
【００３５】
一方、連続紙が比較的柔らかいものであるときには、耳屑がガイド部を通過する間に、その耳屑が静電気を帯びて、ガイド部出口から真下に向かうようになるため、この場合も、耳屑が吸引口から外れてしまうおそれがあったが、本発明では、ガイド部出口から真下に向かう耳屑に対して、吸引口の姿勢を上向きに調整することで対応できる。
【００３６】
また、連続紙は、その幅寸法が異なるものに取り替えることもあり、その場合に、特許文献１のように吸引口の位置が固定されていたのでは、その吸引口から耳屑を吸引できなくなるおそれがあったが、本発明では、取り替え後の連続紙の幅寸法に対応して、吸引口の位置を左右方向に調整することで対応できる。
【００３７】
さらに、連続紙から耳屑を切り取った紙片を所定間隔でカットして紙管に巻きつけるとともに、耳屑を吸引口で吸引する場合には、その間隔に応じてサイクルの発停を繰り返すが、これに対する特許文献１の不具合をも解消することができる。
【００３８】
すなわち、サイクル停止時には、吸引口の負圧がなくなるので、耳屑の先端が浮き上がってしまい、吸引口から外れてしまうおそれがあり、サイクルが再び始まると、吸引口に再び負圧が生じるので、一旦浮き上がった耳屑が再び吸引口に吸引されることにより、耳屑がねじれて吸引口に巻き付き、或いは吸引口を閉塞してしまうおそれがあったが、本発明では、そのような事態に対応した吸引口の位置又は姿勢に容易に調整することで、その調整後は吸引口の確認等の手間が省略できて便利である。
【発明を実施するための最良の形態】
【００３９】
図１は本発明の一実施形態に係る連続紙のスリット耳屑回収設備１の配置図であって、（ａ）は平面図、（ｂ）は側面図である。図２はスリッタ１１の詳細構成を示す斜視図である。なお、図２以下において、単に上下、左右及び前後方向というときは、連続紙の一例としての分包紙をロール状に巻いた原反１３の位置姿勢を基準としている。
【００４０】
図１（ａ）（ｂ）に示すように、本実施形態に係る連続紙のスリット耳屑回収設備１は、主として、作業室１０と、回収室２０と、両室１０，２０を互いに接続する空気給排ライン３０及びバイパスライン３５とからなっている。空気給排ライン３０及びバイパスライン３５の断面形状は概ね円形であるが、楕円形や矩形など他の断面形状であってもよい。
【００４１】
作業室１０内には、例えば３台のスリッタ１１が互いに離間して配置されているとともに、作業室１０内の左壁に沿って、例えば２台のエアコン１２が互いに離間して配置されている。なお、Ｇはベースである。
【００４２】
スリッタ１１は、図２に示すように、連続紙の一例としての分包紙をロール状に巻いた原反１３を装填可能であって、この原反１３と平行に置かれた回転軸に等ピッチに固定された回転刃１４と、空気源としてのブロア１５とを備えている。
【００４３】
そして、回転刃１４で、原反１３を複数条の紙片１３ａ，１３ｂ，・・・に分割するように、その原反１３に切れ目を入れるようになっている。このときに、原反１３の左右両端に発生する耳屑１３ｘ，１３ｙを、ブロア１５から供給された空気で吸引するための吸引口１５ｘ，１５ｙが空気給排ライン３０の風送ライン３１に斜め接続された枝ライン３１ｘ，３１ｙの先端にそれぞれ設けられている。
【００４４】
なお、図２では、ブロア１５からの風送ライン３１を別個に設けて、それぞれに枝ライン３１ｘ，３１ｙを斜め接続することで、風送ライン３１中の空気がよりスムーズに流れるようにしているが、例えば枝ライン３１ｘ，３１ｙが１本の風送ライン３１から直接分岐しているようにしてもよい。
【００４５】
ここで、被スリット物である連続紙の一例としての分包紙は、基層にヒートシール層を積層したもので、厚みは３０〜７０μｍ程度のものである。基層は、グラシン又はセロハンであって、ヒートシール層は、ポリエチレンである。
【００４６】
この分包紙の前記原反１３は、幅が５００〜１０００ｍｍ程度のものである。この原反１３を、スリッタ１１に装填した上で、図２に示すようにスリットして、図示しない紙管に巻きつけることで、製品を作るようになっている。
【００４７】
吸引口１５ｘ，１５ｙは、耳屑１３ｘ，１３ｙの発生状態に応じてその位置姿勢を調整するための調整機構１６を備えており、枝ライン３１ｘ，３１ｙは、この調整機構１６による吸引口１５ｘ，１５ｙの位置姿勢をそれぞれ調整しやすいように、例えば蛇腹で構成されている。すなわち、主として吸引口１５ｘ，１５ｙと調整機構１６とが、本発明の連続紙のスリット耳屑吸引装置に相当しており、以下、それらの詳細を説明することとする。
【００４８】
図３は吸引口１５ｘ，１５ｙの構造を示す縦断面図、図４はその調整機構１６の構造を示す図であって、（ａ）は平面図、（ｂ）は正面図、（ｃ）は側面図である。
【００４９】
前記吸引口１５ｘ，１５ｙは、図３に示すように、漸次に拡径する周壁１５ｂを備えるとともに、この周壁１５ｂの開口端１５ａをドーナツ状に膨らませたカールファンネル形状としたものであって、いわゆるカールファンネル効果により、空気の吸い込み量を確保して、耳屑１３ｘ，１３ｙを確実に吸引できるようになっている。
【００５０】
ここで、カールファンネル効果とは、空気などの気体は壁面に沿って流れるという流体学上の性質を利用したものである。すなわち、従来例のように、吸引口の端部が、例えばパイプを切断したままの鋭角である場合には、その端部で空気の流れが途切れてしまうため、吸引口の前面にある空気しか吸引できない。これを上記図３のごときカールファンネル形状とすることで、空気の流れが開口端１５ａの裏面からもスムーズに開口端１５ａ内に流れ込み、あたかも開口端１５ａの径が広がったように作用する。
【００５１】
この空気が開口端１５ａに流れ込むときの流速を加味すると、実口径の何倍もの空気を吸い込むことができるものとされる。換言すると、同量の空気を吸い込む場合には、その空気の吸い込み抵抗が減少するから、当該減少分だけブロア１５の負荷が軽減する結果、省エネルギを図ることができる。
【００５２】
そして、吸引口１５ｘ，１５ｙの表面をポリッシュ加工しておくと、上記カールファンネル効果がさらに発揮されることとなる。
【００５３】
この吸引口１５ｘ，１５ｙの調整機構１６は、図４（ａ）（ｂ）（ｃ）に示すように、主として、円柱部材１６ａと、スライド部材１６ｂと、プレート部材１６ｃと、接続部材１６ｄとから構成されている。
【００５４】
円柱部材１６ａは、原反１３の左右両端から発生する耳屑１３ｘ，１３ｙの進行方向に対して真下となる位置に配置されている。通常、耳屑１３ｘ，１３ｙの進行方向は、原反１３の前方に配置されたローラ１７に案内されて真下に向くようになっているので、円柱部材１６ａは、原反１３の前方の真下に横設されているものである。
【００５５】
スライド部材１６ｂは、直方体の前後底辺が面取りされた六角柱状に形成され、その軸直角方向の断面中央には、前記円柱部材１６ａを挿通可能な円孔１６ｅが穿設されている。スライド部材１６ｂの底面には、前記円孔１６ｅまで貫通するように螺子孔１６ｆが形成されている。
【００５６】
そして、この螺子孔１６ｆにボルト部材１６ｇの本体を螺合させるとともに、その基部に形成されたハンドル部１６ｈを例えば反時計回りに回転させることで、ボルト部材１６ｇの先端部が円孔１６ｅに挿通された円柱部材１６ａから離間させる。すると、スライド部材１６ｂが円柱部材１６ａに沿って左右方向にスライド可能となるとともに、スライド部材１６ｂが円柱部材１６ａ回りに回転可能となる。
【００５７】
一方、ハンドル部１６ｈを例えば時計回りに回転させることで、ボルト部材１６ｇの先端部が円孔１６ｅに挿通された円柱部材１６ａに当接されると、スライド部材１６ｂが円柱部材１６ａの所望の位置に所望の姿勢で固定可能となる。
【００５８】
プレート部材１６ｃは、平面視略三角形状の平板で形成されており、その底辺付近がスペーサ１６ｉを介してスライド部材１６ｂの上面にビス１６ｊで取り付けられている。これにより、プレート部材１６ｃは、スペーサ１６ｉの厚み分だけ、スライド部材１６ｂに対して上下方向に調整可能となっている。また、プレート部材１６ｃは、スライド部材１６ｂとともに、円柱部材１６ａに沿って左右方向にスライド可能、或いは、その所望位置にて固定可能となっている。なお、スペーサ１６ｉは１枚であってもよいし、複数枚を重ねたものであってもよい。
【００５９】
接続部材１６ｄは、円筒状に形成されており、前記プレート部材１６ｃの前記底辺に対向する頂点付近に取り付けられている。そして、接続部材１６ｄの上方から前記吸引口１５ｘ，１５ｙの周壁１５ｂを差し込んで固定する一方、前記接続部材１６ｄの下方から前記枝ライン３１ｘ，３１ｙを差し込んで固定するようになっている。
【００６０】
したがって、調整機構１６は、前記原反１３の左右方向又は上下方向に吸引口１５ｘ，１５ｙを移動させ、或いは、原反１３に対して吸引口１５ｘ，１５ｙを傾斜させることにより、原反１３をスリッタ１１でスリットしたときの該原反１３の左右両端の少なくとも一方に発生する耳屑１３ｘ，１３ｙを確実に吸引することができるようになる。
【００６１】
以下、このスリット耳屑回収設備１の動作を説明する。
【００６２】
空気給排ライン３０は、図１に示すように、前記風送ライン３１と、前記リターンライン３２とからなっている。すなわち、ブロア１５から風送ライン３１に空気が供給される。すると、この風送ライン３１の枝ライン３１ｘ，３１ｙから、スリッタ１１でスリットした原反１３の耳屑１３ｘ，１３ｙが、前記図２及び図３に示したような吸引口１５ｘ，１５ｙから吸引される。
【００６３】
この際、吸引口１５ｘ，１５ｙの前記形状により、カールファンネル効果が発揮される結果、耳屑１３ｘ，１３ｙは、吸引口１５ｘ，１５ｙの周囲の空気とともに効率よく吸引される。
【００６４】
ここで、仮に耳屑１３ｘ，１３ｙの進行方向が、大きく変化したとする。すると、吸引口１５ｘ，１５ｙの調整機構１６を調整して、その変化した耳屑１３ｘ，１３ｙの進行方向に応じた吸引口１５ｘ，１５ｙの位置姿勢となるようにする。
【００６５】
例えば原反１３を長尺のものに取り替えたために、その左右両側に発生する耳屑１３ｘ，１３ｙの位置が大きく変化したとする。このときには、ボルト部材１６ｇの基部に形成されたハンドル部１６ｈを例えば反時計回りに回転させることで、ボルト部材１６ｇの先端部が円孔１６ｅに挿通された円柱部材１６ａから離間させる。すると、スライド部材１６ｂが円柱部材１６ａに沿って左右方向にスライド可能となるので、前記変更した耳屑１３ｘ，１３ｙの進行方向に応じた左右位置にスライドさせる。
【００６６】
そして、ハンドル部１６ｈを例えば時計回りに回転させることで、ボルト部材１６ｇの先端部が円孔１６ｅに挿通された円柱部材１６ａに当接させる。すると、スライド部材１６ｂが円柱部材１６ａに固定されるので、吸引口１５ｘ，１５ｙが位置決めされる。
【００６７】
また、静電気が発生して、耳屑１３ｘ，１３ｙの進行方向が大きく変化したとする。このときには、ボルト部材１６ｇの基部に形成されたハンドル部１６ｈを例えば反時計回りに回転させることで、ボルト部材１６ｇの先端部が円孔１６ｅに挿通された円柱部材１６ａから離間させる。すると、スライド部材１６ｂが円柱部材１６ａまわりに回転可能となるので、前記変更した耳屑１３ｘ，１３ｙの進行方向に応じた傾斜姿勢となるように吸引口１５ｘ，１５ｙを回転させる。
【００６８】
そして、ハンドル部１６ｈを例えば時計回りに回転させることで、ボルト部材１６ｇの先端部が円孔１６ｅに挿通された円柱部材１６ａに当接させる。すると、スライド部材１６ｂが円柱部材１６ａに固定されるので、その傾斜姿勢にて吸引口１５ｘ，１５ｙが設定される。このとき、ビス１６ｊを緩めて、スペーサ１６ｊをスライド部材１６ｂとプレート部材１６ｃとの間に介装させた上で、再びビス１６ｊを締めることにより、吸引口１５ｘ，１５ｙの上下方向の位置を調整することもできる。
【００６９】
この吸引された耳屑１３ｘ，１３ｙは、風送ライン３１中を空気で搬送されて、作業室１０外の回収室２０に流入する。このとき、回収室２０の入口に設置された逆止弁２１が、空気圧で開いて、その隙間から耳屑１３ｘ，１３ｙがその回収室２０内に流入する。このようにして、空気の逆流が防止されるので、サイクル運転中のスリッタ１１がある場合に、サイクル停止中の他のスリッタ１１に耳屑１３ｘ，１３ｙが逆流するのを防止できるようになる。
【００７０】
そして、逆止弁２１を介して耳屑１３ｘ，１３ｙがその回収室２０内に流入すると、耳屑１３ｘ，１３ｙは自重で落下する。このとき、耳屑１３ｘ，１３ｙは、風送ライン３１内で風送される間に、適当な長さに切断されており、その断片が回収室２０内の床上に徐々に堆積するようになる。
【００７１】
耳屑１３ｘ，１３ｙが分離された空気のみが、回収室２０の出口に設置されたフィルタ２２を介してリターンライン３２に吐き出される。このとき、フィルタ２２の図示しないメッシュ部材で耳屑１３ｘ，１３ｙが空気に随伴して吐き出されることがなくなる。
【００７２】
リターンライン３２の作業室１０内の入口には、作業室１０の右壁の上部付近に、ルーバ３３が設置されている。このルーバ３３の働きにより、リターンライン３２から作業室１０内に流れ込む空気の方向が規制される。
【００７３】
すなわち、図１（ａ）（ｂ）に示すように、リターンライン３２から作業室１０内に流れ込む空気の方向は、図中の各矢印で示すように、いずれも作業室１０の天井や前後壁に向かっており、直接スリッタ１１に向かわないようにしている。
【００７４】
そして、空気は、作業室１０の天井や前後壁に沿って、流れていき、左壁に沿って下向きの流れとなり、スリッタ１１横のブロア１５で吸引されることとなる。このようにして、作業室１０内の空気は回収室２０を介して全量が元の作業室１０内に戻されるようになる。
【００７５】
この実施形態によれば、前記耳屑１３ｘ，１３ｙの発生状態に応じて前記吸引口１５ｘ，１５ｙの位置姿勢を調整可能な調整機構１６を備えたので、例えば特許文献１において、種々の材料や寸法の原反１３を使用した場合の不具合を解消することができる。
【００７６】
例えば、原反１３の紙質が比較的硬いものであるときには、耳屑１３，１３ｙは、ローラ１７に案内されて略前方に向かうため、該ローラ１７に対向配置された吸引口１５ｘ，１５ｙにうまく入ることとなる。しかし、生産性の向上を図って、原反１３から耳屑１３ｘ，１３ｙを切り取った紙片１３ａ，１３ｂ，・・・が高速で図示しない巻き取り装置に送られるようにすると、これにつれて耳屑１３ｘ，１３ｙが上向きに浮き上がってしまい、吸引口１５ｘ，１５ｙから外れてしまうおそれがあった。本実施形態では、この上向きに浮き上がった耳屑１３ｘ，１３ｙに対して、吸引口１５ｘ，１５ｙの姿勢を下向きに調整することで対応できる。具体的には、円柱部材１６ａを原反１３よりも上側に設置し、調整機構１６を用いて吸引口１５ｘ，１５ｙを下向きにすればよい。
【００７７】
一方、原反１３の紙質が比較的柔らかいものであるときには、耳屑１３ｘ，１３ｙがローラ１７を通過する間に、その耳屑１３ｘ，１３ｙが静電気を帯びて、ローラ１７から真下に向かうようになるため、この場合も、耳屑１３ｘ，１３ｙが吸引口１５ｘ，１５ｙから外れてしまうおそれがあったが、本実施形態では、前記ローラ１７から真下に向かう耳屑１３ｘ，１３ｙに対して、吸引口１５ｘ，１５ｙの姿勢を上向きに調整することで対応できる。
【００７８】
また、原反１３は、その幅寸法が異なるものに取り替えることもあり、その場合に、吸引口１５ｘ，１５ｙの位置が固定されていたのでは、その吸引口１５ｘ，１５ｙから耳屑１３ｘ，１５ｙを吸引できなくなるおそれがあったが、本実施形態では、取り替え後の原反１３の幅寸法に対応して、吸引口１５ｘ，１５ｙの位置を左右方向に調整することで対応できる。
【００７９】
さらに、原反１３から耳屑１３ｘ，１３ｙを切り取った紙片１３ａ，１３ｂ，・・・を所定間隔でカットして図示しない紙管に巻きつけるとともに、耳屑１３ｘ，１３ｙを吸引口１５ｘ，１５ｙで吸引する場合には、その間隔に応じてサイクルの発停を繰り返すが、これに対する特許文献１の不具合をも解消することができる。
【００８０】
すなわち、サイクル停止時には、吸引口１５ｘ，１５ｙの負圧がなくなるので、耳屑１３ｘ，１３ｙの先端が浮き上がってしまい、吸引口１５ｘ，１５ｙから外れてしまうおそれがあり、サイクルが再び始まると、吸引口１５ｘ，１５ｙに再び負圧が生じるので、一旦浮き上がった耳屑１３ｘ，１３ｙが再び吸引口１５ｘ，１５ｙに吸引されることにより、耳屑１３ｘ，１３ｙがねじれて吸引口１５ｘ，１５ｙに巻き付き、或いは吸引口１５ｘ，１５ｙを閉塞してしまうおそれがあったが、本実施形態では、そのような事態に対応した吸引口１５ｘ，１５ｙの位置又は姿勢に容易に調整することで、その調整後は吸引口１５ｘ，１５ｙの確認等の手間が省略できて便利である。
【００８１】
なお、上記実施形態では、調整機構１６の接続部材１６ｄで吸引口１５ｘ，１５ｙを枝ライン３１ｘ，３１ｙに接続しているが、例えば接続部材１６ｄに吸引口１５ｘ，１５ｙを螺合させ、例えば吸引口１５ｘ，１５ｙを時計回り、或いは、反時計回りに回転させることで、吸引口１５ｘ，１５ｙの上下方向への移動を可能とすることもできる。
【００８２】
また、上記実施形態では、連続紙の一例として分包紙の原反１３を示したが、本発明の適用範囲は、これに限られるものではなく、連続紙として吸湿性や熱膨張率の異なる多層構造のものが用いられる場合であってもよい。その場合に、連続紙の耳屑１３ｘ，１３ｙが大きく反り返ったとしても、その反り返った耳屑１３ｘ，１３ｙの進行方向に、吸引口１５ｘ，１５ｙの位置姿勢を変更すればよい。
【００８３】
また、上記実施形態では、作業室１０内に、エアコン１２を２台、スリッタ１１を３台備えているが、エアコン１２、スリッタ１１ともに１台以上であればよい。
【図面の簡単な説明】
【００８４】
【図１】本発明の一実施形態に係る連続紙のスリット耳屑吸引装置を備えたスリット耳屑回収設備の配置図であって、（ａ）は平面図、（ｂ）は側面図である。
【図２】スリッタの詳細構成を示す斜視図である。
【図３】吸引口の構造を示す縦断面図である。
【図４】吸引口の調整機構の構造を示す図であって、（ａ）は平面図、（ｂ）は正面図、（ｃ）は側面図である。
【図５】従来の一例における耳屑風送装置を示す構成図である。
【符号の説明】
【００８５】
１  スリット耳屑回収設備
１０  作業室
１１  スリッタ
１２  エアコン
１３  分包紙の原反（連続紙の一例である。）
１３ａ，１３ｂ，・・・  紙片
１３ｘ，１３ｙ  耳屑
１４  回転刃
１５  ブロア
１５ｘ，１５ｙ  吸引口（連続紙のスリット耳屑吸引装置に相当する。）
１５ａ  開口端
１５ｂ  周壁
１６  調整機構（連続紙のスリット耳屑吸引装置に相当する。）
１６ａ  円柱部材
１６ｂ  スライド部材
１６ｃ  プレート部材
１６ｄ  接続部材
１６ｅ  円孔
１６ｆ  螺子孔
１６ｇ  ボルト部材
１６ｈ  ハンドル部
１６ｉ  スペーサ
１６ｊ  ビス
１７  ローラ
２０  回収室
３０  空気給排ライン
３１  風送ライン
３１ｘ，３１ｙ  枝ライン
３２，３２ａ，３２ｂ  リターンライン
３５  バイパスライン
【図１】
2010115754.tif 000003
【図２】
2010115754.tif 000004
【図３】
2010115754.tif 000005
【図４】
2010115754.tif 000006
【図５】
2010115754.tif 000007